(57)【要約】【課題】低コストで標高に応じて空冷装置の制御を最適化できるようにした映像表示装置を提供する。【解決手段】携帯端末２００はＧＰＳ衛星より電波信号を取り込み、携帯端末２００が存在する標高データを取得する。携帯端末２００は無線ＬＡＮ送受信部２００２を備えており、無線ＬＡＮ通信領域内にある無線ＬＡＮ送受信部１００２を備えたプロジェクタ１００に対し無線ＬＡＮ通信によって標高データを送信する。携帯端末から標高データを受信したプロジェクタは、光源ユニット１００４、パネル１００５、投射部１００６から温度データを取得し、標高、温度データにより光源ユニット１００４、パネル１００５、投射部１００６を冷却する光源ファン１００７、パネルファン１００８、投射ファン１００９の制御データを作成する。光源ファン１００７、パネルファン１００８、投射ファン１００９は制御データに基づきファン回転数や制御電圧の設定が変更される。【選択図】図５
2014202886.tif 000002
【特許請求の範囲】
【請求項１】
光源と、
光源からの光を画像信号に基づき変調することにより画像形成する画像形成部と、
少なくとも前記光源を空冷する空冷装置と、
前記空冷装置を制御する制御装置と、
衛星からの電波信号を受信して位置情報を検出する位置情報検出手段を備えた情報通信端末の第１の通信装置から前記位置情報が供給される第２の通信装置を備え、
前記制御装置は、前記第２の通信装置で受信した前記位置情報から得られる標高情報に基づいて前記空冷装置の動作状態を調整することを特徴とする映像表示装置。
【請求項２】
前記第１の通信装置と第２の通信装置は無線ＬＡＮ送受信部で構成されることを特徴とする請求項１に記載の映像表示装置。
【発明の詳細な説明】
【技術分野】
【０００１】
本開示は、プロジェクタ等の映像表示装置に関する。
【背景技術】
【０００２】
プロジェクタに内蔵された冷却ファンを駆動した場合であっても、プロジェクタの設置される標高によって冷却ファンの風量は異なる。このため、標高によっては通常の設定では適切な冷却効果を得られない場合もある。したがって、プロジェクタは、標高に応じた冷却制御を行う必要がある。このため、プロジェクタ内にＧＰＳ（Ｇｌｏｂａｌ  Ｐｏｓｉｔｉｏｎｉｎｇ  Ｓｙｓｔｅｍ）を設け、このＧＰＳで得られる位置データに基づいて標高を求めそれによってファンを制御するようにする技術が知られている。（特許文献１）
【先行技術文献】
【特許文献】
【０００３】
【特許文献１】特開２００６−２９３１２０号公報
【発明の概要】
【発明が解決しようとする課題】
【０００４】
特許文献１に記載の技術では、ＧＰＳをプロジェクタに搭載する必要があり、非常にコストが高くなる。本開示は、低コストで標高に応じて空冷装置の制御を最適化できる映像表示装置を提供する。
【課題を解決するための手段】
【０００５】
本開示における映像表示装置は、光源と、光源からの光を画像信号に基づき変調することにより画像形成する画像形成部と、少なくとも光源を空冷する空冷装置と、空冷装置を制御する制御装置と、衛星からの電波信号を受信して位置情報を検出する位置情報検出手段を備えた情報通信端末の第１の通信装置から位置情報が供給される第２の通信装置を備えている。制御装置は、第２の通信装置で受信した位置情報から得られる標高情報に基づいて空冷装置の動作状態を調整するように構成されてなる。
【発明の効果】
【０００６】
本開示における映像表示装置は、低コストで標高に応じて空冷装置の制御を最適化できる。
【図面の簡単な説明】
【０００７】
【図１】実施の形態１におけるシステム図である。
【図２】実施の形態１にかかるプロジェクタを概念的に説明するブロック図である。
【図３】実施の形態１にかかる携帯端末を概念的に説明するブロック図である。
【図４】プロジェクタと携帯端末の通信を行う際の模式図である。
【図５】携帯端末における処理のフローを示したフローチャートである。
【図６】プロジェクタにおける処理のフローを示したフローチャートである。
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者は、当業者が本開示を十分に理解するために添付図面および以下の説明を提供するのであって、これらによって特許請求の範囲に記載の主題を限定することを意図するものではない。
【００１０】
（実施の形態１）
以下、図１〜図６を用いて、実施の形態１を説明する。
【００１１】
図１は、実施の形態１におけるシステム図である。
【００１２】
プロジェクタ１００と携帯端末２００は無線ＬＡＮ（Ｌｏｃａｌ  Ａｒｅａ  Ｎｅｔｗｏｒｋ）で相互に通信が可能であり、プロジェクタ１００はスクリーン３００に対して映像を投射可能である。
【００１３】
携帯端末２００はＧＰＳ（Ｇｌｏｂａｌ  Ｐｏｓｉｔｉｏｎｉｎｇ  Ｓｙｓｔｅｍ）を内蔵しており、衛星通信を通じて現在の位置の計測情報の取得が可能である。
【００１４】
尚、ここでは無線ＬＡＮを例に挙げているが、ＢｌｕｅＴｏｏｔｈ（登録商標）などの無線通信方式でも構わない。
【００１５】
また、携帯端末２００はスマートフォンやタブレット、ノートＰＣなどでも良い。
【００１６】
図２は、プロジェクタ１００を概念的に説明するブロック図である。
【００１７】
プロジェクタ１００は、光源ユニット１００４、光源からの光を変調して映像を形成するパネル１００５、スクリーン３００へ投射する際、フォーカスやズーム等の光学的な補正を行う投射部１００６、これらを制御する制御部１００１を有する。
【００１８】
尚、光源ユニット１００４は、高圧水銀灯などのランプ光源、ＬＥＤ（Ｌｉｇｈｔ  Ｅｍｉｔｔｉｎｇ  Ｄｉｏｄｅ）やレーザなどの固体光源でも良い。
【００１９】
光源ユニット１００４は制御部１００１の光源制御部１００１１によって制御され、映像やモードによって光源の明るさの調整を行う。パネル１００５は液晶（ＬＣＤ：Ｌｉｑｕｉｄ  Ｃｒｙｓｔａｌ  Ｄｉｓｐｌａｙ）パネルやＤＭＤ（Ｄｉｇｉｔａｌ  Ｍｉｒｒｏｒ  Ｄｅｖｉｃｅ）が使用できる。
【００２０】
パネル１００５は制御部１００１の映像処理部１００１２で合成される映像信号に応じて光源からの光を変調し映像を形成するよう制御される。
【００２１】
ここで合成される映像信号は入力信号をリサイズ部１００１２１により所望の解像度へ変換され、必要に応じてＯＳＤ生成部１００１２１によって生成されたＯＳＤ（Ｏｎ  Ｓｃｒｅｅｎ  Ｄｉｓｐｌａｙ）を合成したものである。
【００２２】
投射部１００６は内部にレンズ駆動モータを搭載しており、制御部１００１内の投射部制御部１００１５からの制御を受け、電動にてフォーカスやズームの光学補正を行うことが出来る。
【００２３】
光源ユニット１００４は動作中に非常に高温となるが、光源ユニット１００４、パネル１００５は高温状態になると破裂や部品寿命の短縮など、製品の品質を低下させてしまう。また、投射部１００６は温度変化により内部レンズの破損や熱膨張によるフォーカスドリフトが発生し、映像を正常に投射し続ける事が難しくなる。
【００２４】
そこで、光源ユニット１００４を光源ファン１００７で、パネル１００５をパネルファン１００８で、投射部１００６を投射ファン１００９でそれぞれ冷却するようになっている。この時、光源ファン１００７、１００８、１００９は制御部１００１の冷却制御部１００１３からの設定データに応じて回転数や制御電圧を決定する。
【００２５】
無線ＬＡＮ送受信部１００２は、無線ＬＡＮアンテナ１００３を用いて無線ＬＡＮ通信の送受信を行う。この無線ＬＡＮ通信で用いるデータは、制御部１００１の通信制御部１００１４により制御が行なわれる。
【００２６】
図３は携帯端末２００を概念的に説明するブロック図である。
【００２７】
携帯端末２００はＧＰＳ衛星からの電波信号をアンテナ２００４にて受信し、受信した電波信号より現在の位置、標高データをＧＰＳ受信部２００１にて算出する。
【００２８】
無線ＬＡＮ送受信部２００２はアンテナ２００５を用いて無線ＬＡＮ通信の送受信を行う。この無線ＬＡＮ通信で用いるデータは制御部２００３の通信制御部２００３１により制御を行う。
【００２９】
図４はプロジェクタ１００と携帯端末２００の通信を行う際の模式図である。
【００３０】
携帯端末２００が、それを中心とする無線ＬＡＮ通信領域４００を作成する。
【００３１】
無線ＬＡＮ通信領域４００とは、携帯端末２００をアクセスポイントとして、このアクセスポイントにアクセス可能な物理的な領域を示す。遮蔽物が無ければ、半径１０ｍの領域を示す。
【００３２】
このとき、無線ＬＡＮ通信領域４００内に存在するプロジェクタ１００Ａは、この携帯端末２００へアクセスする事は可能であるが、無線ＬＡＮ通信領域４００外のプロジェクタ１００Ｂはアクセスする事はできない。
【００３３】
よって、携帯端末２００からはプロジェクタ１００Ｂとは通信が行えないため、制御を行わない。
【００３４】
図５は携帯端末２００における処理のフローを示したフローチャートである。
【００３５】
携帯端末２００はＧＰＳ衛星よりアンテナ２００４を通じてＧＰＳ受信部２００１に電波情報の受信を行う（Ｓ１０１）。
【００３６】
ＧＰＳ受信部２００１では、受信した電波情報を基に携帯端末２００が存在する現在地を算出し、現在地の標高データの取得を行う（Ｓ１０２）。
【００３７】
携帯端末２００が生成した無線ＬＡＮ通信領域４００内にアクセス可能なプロジェクタ１００が存在しているか、検索パケットを通信制御２００３１にて生成し、無線ＬＡＮ送受信部２００２を通じてブロードキャスト送信を行う（Ｓ１０３）。
【００３８】
ブロードキャスト送信とは、無線ＬＡＮ通信領域４００のアクセス可能な機器の取りうるＩＰアドレスに対して複数の通信パケットを送信する方式である。
【００３９】
この検索パケットに対してアクセス可能なプロジェクタ１００は応答パケットを返信するため、応答パケットの有無からアクセス可能なプロジェクタの存在を携帯端末２００は知ることができる（Ｓ１０４）。
【００４０】
アクセス可能なプロジェクタ１００が存在していた場合、算出した標高データ含む送信パケットを通信制御部２００３１にて生成し、無線ＬＡＮ送受信部２００２を通じてプロジェクタ１００へ対して送信する（Ｓ１０５）。
【００４１】
アクセス可能なプロジェクタ１００が存在しない場合、データの送信は特に行わない。
【００４２】
この時、ユーザーに対してアクセス可能なプロジェクタ１００が存在しない旨のメッセージを表示しても良い。
【００４３】
また、ここではプロジェクタ１００が１台のみの状態を例としているが、複数でも良い。
【００４４】
その場合は、無線ＬＡＮ通信領域４００中に存在するプロジェクタ１００の台数だけＳ１０５のステップを実施する事で実現できる。従って、その通信領域内のプロジェクタに対しては同じ標高データによりファンが制御される。換言すれば、携帯端末とは標高差が異なる位置に配置されたプロジェクタに対しては、誤った標高データが与えられる虞がない。
【００４５】
図６はプロジェクタ１００における処理のフローを示したフロー図である。
【００４６】
このプロジェクタ１００は携帯端末２００からの無線ＬＡＮ通信領域４００内に存在しており、携帯端末２００からの検索パケットに対する応答パケットを送付済である。
【００４７】
携帯端末２００のＳ１０５にて送信された標高データを、無線ＬＡＮ送受信部１００２を通じて受信し、通信制御部１００１４にて標高データとして保存する（Ｓ２０１）。
【００４８】
次に光源ユニット１００４、パネル１００５、投射部１００６に搭載されている温度センサー（図示せず）から光源ユニット１００４、パネル１００５、投射部１００６の温度データを取得する（Ｓ２０２）。
【００４９】
冷却制御部１００１３は、光源ユニット１００４、パネル１００５、投射部１００６で取得した温度データと携帯端末２００から受信した標高データを基に、光源ファン１００７、パネルファン１００８、投射ファン１００９の最適な設定データの算出を行う（Ｓ２０３）。
【００５０】
この時、標高が高い場合、気圧が低くなり冷却効率が落ちるため、ファンの回転数を多めに設定する。
【００５１】
光源ファン１００７、１００８、１００９は、冷却制御部１００１３からの設定データから回転数や制御電圧を最適値に制御される（Ｓ２０４）。
【００５２】
以上のように第１の実施の形態によれば、携帯端末に搭載されたＧＰＳから得られる位置情報から標高情報を取得し、それによってプロジェクタの空冷制御をするようにしたので、プロジェクタのコストアップを招来することなく、最適な空冷制御を実現することができる。
【００５３】
また、携帯端末とプロジェクタとの間の通信手段として無線ＬＡＮを使用するようにしたので、携帯端末とは標高差が異なる位置に配置されたプロジェクタに対しては、誤った標高データが与えられる虞がない。
【００５４】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。第１の実施の形態では映像表示装置としてプロジェクタを使用する場合について説明したが、冷却用のファンが搭載された他の表示装置に適用しても良い。
【００５５】
以上のように、本開示における技術の例示として、実施の形態を説明した。そのために、添付図面および詳細な説明を提供した。
【００５６】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００５７】
また、上述の実施の形態は、本開示における技術を例示するためのものであるから、特許請求の範囲またはその均等の範囲において種々の変更、置き換え、付加、省略などを行うことができる。
【産業上の利用可能性】
【００５８】
本開示は、プロジェクタ等の映像表示装置に適用可能である。
【符号の説明】
【００５９】
１００    プロジェクタ
１００Ａ  プロジェクタ
１００Ｂ  プロジェクタ
２００    携帯端末
１００１  制御部
１００２  無線ＬＡＮ送受信部
２００３  制御部
１００４  光源ユニット
１００５  パネル
１００６  投射部
１００７  光源ファン
１００８  パネルファン
１００９  投射ファン
２００１  ＧＰＳ受信部
２００２  無線ＬＡＮ送受信部
【図１】
2014202886.tif 000003
【図２】
2014202886.tif 000004
【図３】
2014202886.tif 000005
【図４】
2014202886.tif 000006
【図５】
2014202886.tif 000007
【図６】
2014202886.tif 000008